(57)【要約】本発明は、双安定ネマティック液晶のマトリックススクリーンにアンカリングを破壊することで電気的にアドレシングするための方法を提供する。この方法は、制御された電気信号を、それぞれ、このスクリーンの行電極と列電極に加えるステップを含む。本発明によると、この方法は、更に、複数の行に、列電圧が加えられる期間と等しいかこれより大きな持続期間だけ時間的にオフセットされた類似する行信号を用いて同時にアドレシングするステップを含む。この行アドレシング信号は、第一の期間においては、その行内の画素の全てのアンカリングを破壊することができ、これに続く第二の期間においては、これらアドレスされた行を構成する画素の最終状態を決定することができる、少なくとも一つの電圧値を有し、この最終状態は対応する列に加えられる電気信号の各々の値の関数として決まる。
2005523477.tif 000002
【特許請求の範囲】
【請求項１】
双安定ネマティック液晶のマトリックススクリーンにアンカリングを破壊することで電気的にアドレシングするための、制御された電気信号をそれぞれ前記スクリーンの行電極と列電極に加えるステップを含む方法であって、
複数の行に、前記列電圧が加えられる期間と等しいかこれより大きな持続期間だけ時間的にオフセットされた類似する行信号を用いて、同時にアドレシングするステップを含み、前記行アドレシング信号は、第一の期間においては、その行内の画素の全てのアンカリングを破壊することができ、これに続く第二の期間においては、前記アドレスされた行を構成する画素の最終状態を決定することができる、少なくとも一つの電圧値を有し、前記最終状態は前記対応する列に加えられる電気信号の各々の値の関数として決まることを特徴とする方法。
【請求項２】
前記スクリーンは、２つのテクスチャを用い、第一のテクスチャにおいては、分子は互いに少なくとも実質的に平行となる、ユニホーム或いは少し捩れた状態となり、他方のテクスチャは、前記第一のテクスチャと、±１８０°なるオーダだけ捩れる点で異なることを特徴とする請求項１記載の双安定ネマティック液晶のマトリックススクリーンにアンカリングを破壊することでアドレシングするための方法。
【請求項３】
前記列信号の終端は前記行信号の終端と同期されることを特徴とする請求項１或いは２記載の方法。
【請求項４】
τｃ≦τＤ＜τＬ
なる関係を有し、
τＤは、２つの行信号間の時間的なオフセットを表し、
τＬは、少なくともアンカリング破壊段階とテクスチャ選択段階とを含む行アドレシング時間を表し、
τｃは、列信号の持続期間を表すことを特徴とする請求項１乃至３のいずれかに記載の方法。
【請求項５】
ｘ個の同時にアドレスされる行にアドレシングするために必要とされる時間は、
τＬ＋［τＤ・（ｘ−１）］
に等しく、この関係式において、
τＤは、２つの行信号間の時間的なオフセットを表し、
τＬは、少なくともアンカリング破壊段階とテクスチャ選択段階とを含む行アドレシング時間を表すことを特徴とする請求項１乃至４のいずれかに記載の方法。
【請求項６】
前記時間的にオーバラップして同時にアドレスされる行は、隣接する行から成ることを特徴とする請求項１乃至５のいずれかに記載の方法。
【請求項７】
前記時間的にオーバラップして同時にアドレスされる行は、非隣接の行から成ることを特徴とする請求項１乃至５のいずれかに記載の方法。
【請求項８】
持続期間τＬ＝ｊτＤ成る行信号を用い、２つの連続する同時に加えられる行信号を時間においてτＤだけオフセットし、同時に加えられる行信号の一連のブロックをτＬだけオフセットすることで、ｉモデュロｊ個の行、つまり、行ｉ、ｉ＋ｊ、ｉ＋２ｊ、等が同時にアドレシングされることを特徴とする請求項７記載の方法。
【請求項９】
前記スクリーンの列電極に加えられる信号のパラメータは、画素妨害パルスの実効電圧が低減されるように適合化され、これによってアドレシングの際の妨害的な光学効果が軽減されることを特徴とする請求項１乃至８のいずれかに記載の方法。
【請求項１０】
前記スクリーンの列電極に加えられる信号のパラメータは、画素妨害パルスの実効電圧がフリーデリック電圧より低い値とように適合化され、これによってアドレシングの際の妨害的な光学効果が軽減されることを特徴とする請求項１乃至９のいずれかに記載の方法。
【請求項１１】
前記電気信号について適合化されるパラメータは、前記列信号の波形、持続期間、及び振幅から成る群から少なくとも１つが選択されることを特徴とする請求項１０記載の方法。
【請求項１２】
前記列信号の持続期間は、前記行パルスの最後の平坦域の持続期間より短くされることを特徴とする請求項１乃至１１のいずれかに記載の方法。
【請求項１３】
前記列信号は、方形波から成ることを特徴とする請求項１乃至１２のいずれかに記載の方法。
【請求項１４】
前記列信号は、傾斜波から成ることを特徴とする請求項１乃至１２のいずれかに記載の方法。
【請求項１５】
ｘ個の連続する行がある行から次の行間までの時間オフセットτＤを用いて同時にアドレシングされ、各行に対応する列信号はτＤ毎に順番に送られ、各行信号は、τＬ＝ｘτＤより大きな総持続期間を有することを特徴とする請求項１乃至１４のいずれかに記載の方法。
【請求項１６】
（ｉ＋ｘ）番目の行に対する行信号の開始は、ｉ番目の行に対する行信号の終端と同期されることを特徴とする請求項１乃至１５のいずれかに記載の方法。
【請求項１７】
前記行信号は、対称化は施されないことを特徴とする請求項１乃至１６のいずれかに記載の方法。
【請求項１８】
前記信号は、フレーム対称化を施されることを特徴とする請求項１乃至１６のいずれかに記載の方法。
【請求項１９】
前記行信号の極性は、画像ｐとこれに続く画像ｐ＋１との間で反転されることを特徴とする請求項１８記載の方法。
【請求項２０】
前記行信号の極性と前記列信号の極性は、画像ｐとこれに続く画像ｐ＋１との間で反転されることを特徴とする請求項１８或いは１９記載の方法。
【請求項２１】
２つの連続する行信号の極性は反転されることを特徴とする請求項１８乃至２０のいずれかに記載の方法。
【請求項２２】
２つの連続する行信号の極性も、２つの連続する列信号の極性も反転されることを特徴とする請求項１８乃至２１のいずれかに記載の方法。
【請求項２３】
同時にアドレスされる行の数は、
ｘｏｐｔ＝［τＬ／τＤ］の整数部分
より多くされ、この関係式において、
τＤは、２つの行信号間の時間的なオフセットを表し、
τＬは、少なくともアンカリング破壊段階とテクスチャ選択段階とを含む行アドレシング時間を表すことを特徴とする請求項１７乃至２２のいずれかに記載の方法。
【請求項２４】
前記信号は、行対称化が施されることを特徴とする請求項１乃至１６のいずれかに記載の方法。
【請求項２５】
各行信号は、それぞれ反対の極性を有する２つの一連の隣接するシーケンスから成ることを特徴とする請求項２４記載の方法。
【請求項２６】
前記列信号は、２つのシーケンスに分割され、これらの終端は、それぞれ、関連する行信号の、第一のシーケンスの終端と、第二のシーケンスの終端とに同期され、これら２つの列信号シーケンスの極性も同様に反転されることを特徴とする請求項２４或いは２５記載の方法。
【請求項２７】
前記列信号の終端は、前記関連する行信号の前記第二のシーケンスの終端と同期されることを特徴とする請求項２４乃至２６のいずれかに記載の方法。
【請求項２８】
前記２つの連続する行信号の極性は、反転されることを特徴とする請求項２４乃至２７のいずれかに記載の方法。
【請求項２９】
前記２つの連続する行信号の極性も、前記２つの連続する列信号の極性も、反転されることを特徴とする請求項２４乃至２８のいずれかに記載の方法。
【請求項３０】
同時にアドレスされる行の数は、
ｘｏｐｔ＝［２τＬ／τＤ］の整数部分
より多くされ、この関係式において、
τＤは、２つの行信号間の時間的なオフセットを表し、
τＬは、少なくともアンカリング破壊段階とテクスチャ選択段階とを含む行アドレシング時間を表すことを特徴とする請求項２４乃至２９のいずれかに記載の方法。
【請求項３１】
前記列信号は、前記行信号の最後の平坦域の持続期間以下の持続期間を有する列信号、τＤに等しい持続期間τｃを有する列信号、及びτＤよりも小さな持続期間τｃを有する列信号から成る一群から選択され、τＤは、２つの行信号間の時間的なオフセットを表し、τｃは、列信号の持続期間を表すことを特徴とする請求項１乃至３０のいずれかに記載の方法。
【請求項３２】
前記行信号は、２つの平坦域を有する信号から成り、第一の平坦域は前記アンカリング破壊段階の際に用いられ、第二の平坦域は、前記テクスチャ選択段階の際に用いられる、ことを特徴とする請求項１乃至３１のいずれかに記載の方法。
【請求項３３】
前記行信号は、複数の平坦域を有する信号から成り、これら複数の平坦域が前記アンカリング破壊段階の際に用いられることを特徴とする１乃至３１のいずれかに記載の方法。
【請求項３４】
前記行信号は、複数の平坦域を有する信号から成り、これら複数の平坦域が前記テクスチャ選択段階の際に用いられることを特徴とする１乃至３１のいずれかに記載の方法。
【請求項３５】
双安定ネマティック液晶を有するマトリックススクリーンにアンカリングを破壊することで電気的にアドレシングするための、制御された電気信号をそれぞれ前記スクリーンの行電極と列電極に加えるのに適する手段を備えるデバイスあって、
複数の行に、前記列電圧が加えられる期間と等しいかこれより大きな持続期間だけ時間的にオフセットされた類似する行信号を用いて、同時にアドレシングするのに適する手段を備え、前記行アドレシング信号は、第一の期間においては、その行内の画素の全てのアンカリングを破壊することができ、これに続く第二の期間においては、前記アドレスされた行を構成する画素の最終状態を決定することができる、少なくとも一つの電圧値を有し、前記最終状態は前記対応する列に加えられる電気信号の各々の値の関数として決まることを特徴とするデバイス。
【請求項３６】
前記スクリーンは、２つのテクスチャを用い、第一のテクスチャにおいては、分子は互いに少なくとも実質的に平行となる、ユニホーム或いは少し捩れた状態となり、他方のテクスチャは、前記第一のテクスチャと、±１８０°だけ捩れる点で異なることを特徴とする請求項３５記載の双安定ネマティック液晶のマトリックススクリーンにアンカリングを破壊することでアドレシングするためのデバイス。
【請求項３７】
前記列信号の終端は前記行信号の終端と同期されることを特徴とする請求項３５或いは３６記載のデバイス。
【請求項３８】
τｃ≦τＤ＜τＬ
なる関係を有し、
τＤは、２つの行信号間の時間的なオフセットを表し、
τＬは、少なくともアンカリング破壊段階とテクスチャ選択段階とを含む行アドレシング時間を表し、
τｃは、列信号の持続期間を表すことを特徴とする請求項３５乃至３７のいずれかに記載のデバイス。
【請求項３９】
ｘ個の同時にアドレスされる行にアドレシングするために必要とされる時間は、
τＬ＋［τＤ・（ｘ−１）］
に等しく、この関係式において、
τＤは、２つの行信号間の時間的なオフセットを表し、
τＬは、少なくともアンカリング破壊段階とテクスチャ選択段階とを含む行アドレシング時間を表すことを特徴とする請求項３５乃至３８のいずれかに記載のデバイス。
【請求項４０】
前記時間的にオーバラップして同時にアドレスされる行は、隣接する行から成ることを特徴とする請求項３５乃至３９のいずれかに記載のデバイス。
【請求項４１】
前記時間的にオーバラップして同時にアドレスされる行は、非隣接の行から成ることを特徴とする請求項３５乃至３９のいずれかに記載のデバイス。
【請求項４２】
持続期間τＬ＝ｊτＤ成る行信号を用い、２つの連続する同時に加えられる行信号を時間においてτＤだけオフセットし、同時に加えられる行信号の一連のブロックをτＬだけオフセットすることで、ｉモジュロｊ個の行、つまり、行ｉ、ｉ＋ｊ、ｉ＋２ｊ、等に同時にアドレシングするのに適する手段を備えることを特徴とする請求項４１記載のデバイス。
【請求項４３】
前記スクリーンの列電極に加えられる信号のパラメータは、画素妨害パルスの実効電圧が低減されるように適合化され、これによってアドレシングの際の妨害的な光学効果が軽減されることを特徴とする請求項３５乃至４２のいずれかに記載のデバイス。
【請求項４４】
前記スクリーンの列電極に加えられる信号のパラメータは、画素妨害パルスの実効電圧がフリーデリック電圧より低い値とように適合化され、これによってアドレシングの際の妨害的な光学効果が軽減されることを特徴とする請求項３５乃至４３のいずれかに記載のデバイス。
【請求項４５】
前記電気信号について適合化されるパラメータは、前記列信号の、波形及び／或いは持続期間及び／或いは振幅から成る一群から選択されることを特徴とする請求項４４記載のデバイス。
【請求項４６】
前記列信号の持続期間は、前記行パルスの最後の平坦域の持続期間より短くされることを特徴とする請求項３５乃至４５のいずれかに記載のデバイス。
【請求項４７】
前記列信号は、方形波から成ることを特徴とする請求項３５乃至４６のいずれかに記載のデバイス。
【請求項４８】
前記列信号は、傾斜波から成ることを特徴とする請求項３５乃至４６のいずれかに記載のデバイス。
【請求項４９】
ｘ個の連続する行がある行から次の行間までの時間オフセットτＤを用いて同時にアドレシングされ、各行に対応する列信号はτＤ毎に順番に送られ、各行信号は、τＬ＝ｘτＤ  より大きな総持続期間を有することを特徴とする請求項３５乃至４８のいずれかに記載のデバイス。
【請求項５０】
（ｉ＋ｘ）番目の行に対する行信号の開始は、ｉ番目の行に対する行信号の終端と同期されることを特徴とする請求項３５乃至４９のいずれかに記載のデバイス。
【請求項５１】
前記行信号は、対称化が施されないことを特徴とする請求項３５乃至５０のいずれかに記載のデバイス。
【請求項５２】
前記信号は、フレーム対称化を施されることを特徴とする請求項３５乃至５０のいずれかに記載のデバイス。
【請求項５３】
前記行信号の極性は、画像ｐとこれに続く画像ｐ＋１との間で反転されることを特徴とする請求項５２記載のデバイス。
【請求項５４】
前記行信号の極性と前記列信号の極性は、画像ｐとこれに続く画像ｐ＋１との間で反転されることを特徴とする請求項５２或いは５３記載のデバイス。
【請求項５５】
２つの連続する行信号の極性は反転されることを特徴とする請求項５２乃至５４のいずれかに記載のデバイス。
【請求項５６】
２つの連続する行信号の極性も、２つの連続する列信号の極性も、反転されることを特徴とする請求項５２乃至５５のいずれかに記載のデバイス。
【請求項５７】
同時にアドレスされる行の数は、
ｘｏｐｔ＝［τＬ／τＤ］の整数部分
より多くされ、この関係式において、
τＤは、２つの行信号間の時間的なオフセットを表し、
τＬは、少なくともアンカリング破壊段階とテクスチャ選択段階とを含む行アドレシング時間を表すことを特徴とする請求項５１乃至５６のいずれかに記載のデバイス。
【請求項５８】
前記信号は、行対称化が施されることを特徴とする請求項３５乃至５０のいずれかに記載のデバイス。
【請求項５９】
各行信号は、それぞれ反対の極性を有する２つの一連の隣接するシーケンスから成ることを特徴とする請求項５８記載のデバイス。
【請求項６０】
前記列信号は、２つのシーケンスに分割され、これらの終端は、それぞれ、関連する行信号の、第一のシーケンスの終端と、第二のシーケンスの終端とに同期され、これら２つの列信号シーケンスの極性も同様に反転されることを特徴とする請求項５８或いは５９記載のデバイス。
【請求項６１】
前記列信号の終端は、前記関連する行信号の前記第二のシーケンスの終端と同期されることを特徴とする請求項５８乃至６０のいずれかに記載のデバイス。
【請求項６２】
前記２つの連続する行信号の極性は、反転されることを特徴とする請求項５８乃至６１のいずれかに記載のデバイス。
【請求項６３】
前記２つの連続する行信号の極性も、前記２つの連続する列信号の極性も、反転されることを特徴とする請求項５８乃至６２のいずれかに記載のデバイス。
【請求項６４】
同時にアドレスされる行の数は、
ｘｏｐｔ＝［２τＬ／τＤ］の整数部分
より多くされ、この関係式において、
τＤは、２つの行信号間の時間的なオフセットを表し、
τＬは、少なくともアンカリング破壊段階とテクスチャ選択段階とを含む行アドレシング時間を表すことを特徴とする請求項５８乃至６３のいずれかに記載のデバイス。
【請求項６５】
前記列信号は、前記行信号の最後の平坦域の持続期間以下の持続期間を有する列信号、τＤに等しい持続期間τｃを有する列信号、及びτＤよりも小さな持続期間τｃを有する列信号から成る一群から選択され、τＤは、２つの行信号間の時間的なオフセットを表し、τｃは、列信号の持続期間を表すことを特徴とする請求項３５乃至６４のいずれかに記載のデバイス。
【請求項６６】
前記行信号は、２つの平坦域を有する信号から成り、第一の平坦域は前記アンカリング破壊段階の際に用いられ、第二の平坦域は、前記テクスチャ選択段階の際に用いられることを特徴とする請求項３５乃至６５のいずれかに記載のデバイス。
【請求項６７】
前記行信号は、複数の平坦域を有する信号から成り、これら複数の平坦域が前記アンカリング破壊段階の際に用いられることを特徴とする請求項３５乃至６５のいずれかに記載のデバイス。
【請求項６８】
前記行信号は、複数の平坦域を有する信号から成り、これら複数の平坦域が前記テクスチャ選択段階の際に用いられることを特徴とする請求項３５乃至６５のいずれかに記載のデバイス。
【発明の詳細な説明】
【技術分野】
【０００１】
本発明は、液晶ディスプレイデバイスの分野、より詳細には、マルチプレクス双安定ネマティックディスプレイ（multiplexed bistable nematic display）の２つの状態間のスイッチングを制御するための方法及びデバイスに係る。
【０００２】
本発明の目的は、資料［１］において開示されている双安定ディスプレイデバイスを改善することにある。このタイプのデバイスは、通常、”ＢｉＮｅｍｓ”と呼ばれている。この用語は、本特許明細書においても用いられる。このタイプのデバイスの構造については、後に詳細に説明される。
【０００３】
本発明の目的は、さらにより詳細には、このようなマルチプレクスＢｉＮｅｍタイプのスクリーン上に表示される画像にアドレスするために要求される時間を短縮することにある。
【背景技術】
【０００４】
ＳＴＮタイプのパッシブ液晶ディスプレイのアドレシング
このＳＴＮなる略称は、”super twisted nematic（超捩れネマティック）”の頭文字に由来する。これは、超捩れ分子構造を有するディスプレイに関する。
【０００５】
マルチプレキシングの原理とその限界
多数の行を表示する能力を有するパッシブスクリーンは、マルチプレキシング（multiplexing）として知られるアドレシング技術を使用する（例えば、ＳＴＮ技術によると、高々約５００の行を表示することが可能となる）。
【０００６】
中程度の解像度のマトリックススクリーンの場合、当業者においては明白なように、各画素を個別にある独立した制御電極に接続することは、このためには、画素当り１つの接続が要求され、スクリーンが複雑になるとすぐに技術的に不可能となり、論外である。この接続の数は、捩れネマティック（twisted nematic、ＴＮ）及び超捩れネマティック（super twisted nematic、ＳＴＮ）として知られている通常の液晶技術の場合のように、用いられる電気・光学効果が非線形な場合は、マルチプレキシング技術を用いることで節約することができる。各画素は、行電極と列電極との交差によって構成される。これら画素は、各々がｍ個の画素を有する、ｎ個のグループから成るマトリックス系として配列される。例えば、マトリックススクリーンの場合は、ｎ個の行とｍ個の列が存在し、デジットディスプレイ（digit display）の場合は、ｎ桁のデジット部分とｍ桁のデジット部分が存在する。最も一般的に用いられているモードであるシーケンシャルアドレシングモードにおいては、一度に１つの行が選択される。ある行が選択されている間に、列信号がその行内の全ての画素に同時に加えられ、その後、アドレシングは、続く行へと移動し、これが最後の行まで行なわれる。各行を電気的にリフレッシュする頻度は、表示される画像の良好なビジュアル特性を維持するためには十分に高くすることを要求される（秒当り約５０回）。
【０００７】
画像にアドレシングするために要求される時間は、１つの行にアドレシングするために要求される時間に行の数ｎを乗じた値となる。上述の方法によると、ｍ×ｎ個の画素から構成されるスクリーンにアドレシングするために、たったｍ＋ｎ個の接続で済む。ここで、ｍは、問題のマトリックス内の列の数を表す。図１には、マルチプレックスマトリックススクリーンが示されている。
【０００８】
画素が受ける信号は、その画素によって占められる交差部を構成する行に加えられる信号と列に加えられる信号との間の差から成る。
【０００９】
図１に示されるようなスクリーンは、”パッシブスクリーン（passive screen）”と呼ばれ、これは、画素を電気的に互いに絶縁することを可能にするアクティブ素子は含まない。ある行電極は、その行の全ての画素に対して共通に用いられ、列電極は、その列の全ての画素に対して共通に用いられ、アクティブ素子（例えば、トランジスタ）は存在しない。このため、パッシブスクリーンは、画素当り１つのトランジスタ或いは１つのダイオードを含むアクティブスクリーンに比べて製造が非常に簡単である。
【００１０】
ただし、マルチプレキシングにおいては、短所として、ある画素は、列信号によって、その行がアクティブにされた間のみでなく、その画像がアドレスされている全期間を通じてアドレシングされる。つまり、画像が書き込まれている間、スクリーン上のある画素は、列信号をその全列に渡って次々と受け取ることとなる。その行が選択されている期間の外側においてその画素に加えられるこれら列信号は、液晶画素の電気・光学応答に悪影響を及ぼす妨害信号（interfering signals）として働くものとみなすことができる。より具体的には、ＴＮ、ＳＴＮ、或いは類似のタイプのパッシブマトリックスの場合、ある画素内の液晶の状態は、通常の動作状態においては、ほぼ完全に、画像アドレシング時間の際にそれに加えられる電圧の二乗平均値の平方根（実効電圧）の値のみに依存する。このため、その液晶分子の最終状態、従って、その画素の光透過状態は、この画像アドレシング時間の際に加えられる実効電圧によって決まる。行及び列信号を最適化しようとすると、最終的には、Ａｌｔ及びＰｌｅｓｋｏらの基準（Alt and Plesko criterion）［資料２］に至るが、現実的に、あるスクリーンが有することができる行の数の上限はこれによって決定される。
【００１１】
シーケンシャルアドレシングを一度に一行に制限する根拠の一つは、その行が選択される度に、ある与えられた画素に加えられる電圧が非常に明確な鮮明に最大値（very clearly marked maximum）を辿ることにある。その画素を構成する液晶は、このとき、その行がアドレスされている際の２つの事象の間、つまり、２つの連続したフレームの間に発生する緩和（relaxing）という特徴的な応答を瞬間的に示す。このため、高レベルのフリッカと、コントラストの見掛けの損失（apparent loss）が発生する。この効果は、通常、”フレーム応答”と呼ばれる。この効果を抑えるためには、低速な応答を有する液晶を選択することが必要となるが、これは、他方で、ディスプレイの速度性能の損失を招くこととなる。
【００１２】
”フレーム応答”効果のマルチラインアドレシング（ＭＬＡ）による低減
資料［３］は、ＳＴＮスクリーンに対する新規のアドレシング方法を提唱し、この方法においては、複数の行が同時に選択される（この方法はＭＬＡ或いはＭＬＳと呼ばれる）。この方法は、もっぱら、液晶の光学応答は、主として、加えられた実効電圧の関数として決まるパッシブスクリーンに関する。
【００１３】
複数の行に同時にアドレシングすることで、そのフレーム時間の際に、その行は、１つのみでなく、複数の選択パルスを印加されることとなるために、”フレーム応答”効果を大幅に低減することが可能となる。このため、より速い応答時間を有する液晶を用いることが可能となる。
【００１４】
ただし、マルチラインセレクション（multi-line selection、ＭＬＡ）を実現するためには、”正規化され、かつ直交化されている”行選択信号を生成することを要求され、このためには、しばしば、画像メモリをスクリーンドライバ回路（screen driver circuit）内に組み込むことが要求され、このために、より高価な制御エレクトロニクスが必要となる。
【００１５】
要求されるタイプの信号を理解するためには、通常、上述の文献が引き合いに出される。”正規化された”なる用語は、行選択信号は、これらが全て同一の実効値を有するように正規化される必要があることを意味し、”直交化された”なる用語は、行選択信号は、これら行選択信号の任意の一つと、ある別個の行に対する信号とを乗じたとき、フレーム期間に渡ってのその積分が零となるような信号が得られるように適合化される必要があることを意味する。
【００１６】
コレステリックタイプの双安定ＬＣＤにアドレシングするためのやり方（平面焦点から円錐焦点への変換）
資料［４］は、（コレステリックタイプの）カイラルコンポーネントを有する双安定液晶を用いるスクリーンに適用される、複数の行を同時にアドレシングするための方法を開示する。この資料による方法においては、同時にアドレスされる行は、互いに直交する信号にてアドレスされることが要求される。コレステリック液晶に基づくスクリーンをベースとするスクリーンでは、４つのアドレシング段階の幾つかの際に画素に加えられる実効電圧を正確に制御することが要求される。行にアドレシングするための信号として、直交信号を用いることで、これら電圧を効果的に制御することが可能となる。
【００１７】
ＢｉＮｅｍ双安定スクリーンの説明（図２）
最近、新たな双安定ディスプレイが提唱された（資料［１］）。
これは、少なくとも一方は透明な、２つのプレート或いは基板間に配置されたコレステリック或いはカイラル化されたネマティック液晶層から構成される。各基板上には２つの電極が配置され、これらはこれらプレートの間に配置されたカイラル化されたネマティック液晶に電気制御信号を加える働きをする。これら電極の所では、アンカ層によって液晶分子は所望の方向に配向される。マスタプレートの所では、分子は、少しの傾きを与えて、強くアンカリングされ、スレーブプレートの所では、このアンカリング力は弱く、分子は平坦となる。これら表面への分子のアンカリングは単安定性である。
【００１８】
このデバイスは、更に、光学系を含む。
【００１９】
この液晶の２つの双安定テクスチャ、Ｕ（ユニホーム或いは弱く捩れた状態）と、Ｔ（捩れた状態）は、電場が加えられていない状態では、安定である。この双安定性は、マスタプレート上へのアンカリング方向と、スレーブプレート上へのアンカリング方向との間に、零或いは小さな角度を設けることで達成される。これら２つのテクスチャの捩れは、絶対値にて、約１８０°だけ異なる。このネマティックの自発的ピッチ（spontaneous pitch）ｐ０は、これらテクスチャＵとＴのエネルギが実質的に等しくなるように、セルの厚さｄの約４倍近傍の値（ｐ０＝４ｄ）となるように選択される。電場が加えられない状態では、より低いエネルギを有する他の状態は存在せず、ＵとＴは、真に双安定である。
【００２０】
アンカリングを破壊することによる一方のテクスチャから他方のテクスチャへのスイッチング
物理的原理
これら２つの双安定テクスチャは幾何的に異なり、一方のテクスチャから他方のテクスチャに連続的な容積歪み（continuous volume distortion）にて変換させることはできない。このため、テクスチャＵからテクスチャＴに或いはこの逆に変換するためには、強い外部電場を用いて表面上へのアンカリングを破壊するか、或いはディスインクリネーションライン（disinclination line）を移動させることが必要となる。この第二の現象は、第一の場合よりも、より低速に進行し、ここでは詳細な説明は割愛する。
【００２１】
全ての液晶アライメント層は、固有の方位角アンカリングエネルギＡｚを有する。このエネルギは常に有限である。このため、前のテクスチャと関係なく、電場が加えられてない状態において、表面の所にホメオトロピックテクスチャを与える、これも有限な、閾値電場Ｅｃ（アンカリングを破壊するための閾値）が存在することを示すことができる。
【００２２】
アンカリングを破壊するためには、この閾値電場Ｅｃより大きな電場を加えることが必要となる。この電場は、表面近傍の液晶が再配向し、ホメオトロピックテクスチャとなることが確保されるように、十分に長時間加えることを要求される。このために要求される時間の最小期間は、加えられる電場の振幅（大きさ）、並びに、液晶及び整合層の物理的特性に依存する。
【００２３】
静的な状況（電場が数ミリ秒或いはそれより長い期間に渡って加えられるような状況）においては、この閾値電場Ｅｃは、
【数１】
2005523477.tif 000003
となる。ここで、Ａｚは表面の方位角アンカリングエネルギを表し、Ｋ３３は液晶の弾性曲げ係数（elastic bending coefficient）を表し、△εは比誘電異方性（relative dielectric anisotoropy）を表し、ε０は真空の誘電定数を表す。
【００２４】
Ｖｃは、アンカリングを破壊するための電圧として定義され、Ｖｃ＝Ｅｃ・ｄなる関係を有するが、ここで、ｄは液晶セルの厚さを表す。
【００２５】
アンカリングは、分子がプレートに対してこの表面近傍において垂直となり、この表面によってこれら分子に働き掛けられる戻りトルク（return torque）が零になったとき、破壊されたといわれる。実際には、これら分子の配向（方向）と表面に垂直な方向との間の差が、十分に小さく、例えば、０．５°以下であり、かつ、表面の所で分子に加えられるトルクが十分に小さければ、十分である。これら条件が共に満たされた場合、破壊された表面近傍のネマティック分子は、電場が切られると、不安定な平衡状態となり、それらの最初の配向に戻るか、或いは反対の方向に変化して最初のテクスチャとは異なる１８０°だけ捩れた新たなテクスチャを形成する。
【００２６】
この最終テクスチャは、加えられる電気信号の波形を制御することで決定され、より具体的には、これは電場が零に戻されるやり方に依存する。
【００２７】
パルスの電圧を次第に下げた場合は、フローは小さく、マスタプレート近傍の分子は、それらの平衡状態に向かって次第に近づいて行くが、これらの有するこのサンプルの中央部内の分子との弾性結合のために、これら中央部の分子も同様に同一の方向に傾く。この移動は、スレーブプレートに向かって拡散し、今度は、これら分子が表面トルクに助けられて速やかに同一の方向へと傾く。その後、セルの中央部の所でも、このユニホームな状態Ｕが次第に形成される。
【００２８】
電場が突然低下した場合、液晶の配向は、当初、強い表面（マスタプレート）の近傍において、
γ１Ｌ２／Ｋ
に等しい表面緩和時間が変更される。ここで、Ｌは
Ｌ＝Ｋ３３／Ａｚ
であって、強い層の外挿長（extrapolation length）を表し、γ１は液晶の回転の際の粘度を表す。この緩和時間は、典型的には、１マイクロ秒（μｓ）の１０分の１のオーダである。
【００２９】
強い表面をこのように短かな時間期間にてスイッチングすると、この表面の近傍に強いフローは起こり、このフローは容積内へと拡散し、１マイクロ秒より短いある特性時間長（characteristic length of time）の後に弱い表面（スレーブプレート）に達する。この弱い表面（スレーブプレート）の所に誘発されるせん断力のために、この表面近傍の分子に流体力学的トルク（hydrodynamic torque）が生成される。このトルクは、マスタプレートの傾斜によって誘発される弾性トルクと反対方向を向く。このせん断力が十分に強いときは、弱い表面の所の流体力学的トルクの方がより強いトルクとなり、このため捩れテクスチャＴが促進され、このせん断力が弱いときは、弱い表面の所の弾性トルクの方がより強いトルクとなり、このためユニホームテクスチャＵが誘発される。
【００３０】
セル内でのこの分子の回転の方向が図２内に矢印によって表されている。
【００３１】
その後、容積（中身）は、γ１ｄ２／Ｋに等しい、ある特性容積緩和時間（characteristic volume relaxation time）τｖｏｌで再配向（reorient）する。ここで、ｄはセルの厚さを表す。この特性時間は、典型的には、ミリ秒のオーダであり、強い表面の緩和時間よりかなり大きい。
【００３２】
実際的な実施例
一般には、ＢｉＮｅｍ液晶のスイッチングは、２段階にて行なわれる：
第一の段階：アンカリングを破壊する段階、書込みＣ
この段階Ｃは、スレーブプレートの所のアンカリングを破壊することができる電気信号を加えることから成る。一般には、この段階Ｃを短くするほど、より大きなピーク振幅を有する信号を加えることを要求される。
【００３３】
ある振幅及び持続期間が与えられると、信号の波形の細部（スロープ、中間レベル、その他）は、アンカリングが実際に破壊さえできれば、その後の段階の挙動に決定的な影響を及ぼすことはない。
【００３４】
第二の段階：選択段階、書込みＳ
この段階Ｓの間に加えられる電圧は、これら２つの双安定テクスチャＵ或いはＴの一方を選択できることを要求される。上述の効果からわかるように、一方のテクスチャから他方のテクスチャへの切り換えを決定するのは、各画素の端子に加えられる電気信号の立下り波形（falling waveform）である。
【００３５】
書込みなる用語は、ここでは、任意的に、捩れテクスチャＴへのスイッチングを表し、消去なる用語は、ユニホームテクスチャＵへのスイッチングを表すものとする。
【００３６】
ある画素を書込む、つまり、そのテクスチャをＴにスイッチングするためには、以下が必要となる。
【００３７】
段階Ｃ：アンカリングの破壊
アンカリングを破壊するためには、スレーブプレートの所のへのアンカリングを破壊するための電場より大きな電場を供給するパルスを加え、その画素内の分子が立上るするのに十分に長い時間だけ待つ。この破壊電場は、その液晶材の弾性及び電気的特性、並びに、その液晶材の、セルのスレーブプレート上に堆積されたアンカリング層と相互作用の関数として決まる。これは、マイクロメートル当り数ボルトから約１０ボルト（Ｖ／μｍ）のレンジ内に入る。分子を立ち上げるために要求される時間は、用いられる材料の回転粘度（rotational viscosity）γに正比例し、誘電異方性に反比例するとともに、加えられる電場の二乗に反比例する。実際には、この時間は、約２０Ｖ／μｍなる電場を用いた場合、数マイクロ秒まで短縮することができる。
【００３８】
段階Ｓ：テクスチャの選択
その後、単に電場を素早く下げ、制御電圧の、マイクロ秒或いは最大でも数十マイクロ秒内での、当然の下落を起すことで十分である。この電圧、つまり、振幅の突然の下降△Ｖによって液晶内に十分に強い流体力学的効果を誘発される。テクスチャＴを生成するためには、この下降により、加えられる電圧が、アンカリング破壊電圧Ｖｃより大きなある値からこれより小さな値にスイッチすることが要求される。加えられた電場が下降するまでに要求される時間は、その持続時間の１０分の１以下、或いは長いパルスの場合は、５０マイクロ秒以下である。
【００３９】
図３ａ１及び３ａ２は、テクスチャＴを誘発するためのパルスの２つの実現を示す。
【００４０】
図３ａ１においては、パルスは、Ｐ１＞Ｖｃなる振幅Ｐ１と、持続期間τ１を有する第一のシーケンスと、これに続く、Ｐ２＞ＶｃかつＰ２＞△Ｖなる、Ｐ１より少し小さな振幅Ｐ２と、持続期間τ２を有する第二のシーケンスとから成り、この第二のシーケンスは突然零にスイッチングする。図３ａ２においては、パルスは、振幅Ｐ１＞Ｖｃと、持続期間τ１を有する第一のシーケンスと、これに続く、Ｐ２＜Ｖｃかつ（Ｐ１−Ｐ２）＞△Ｖなる振幅Ｐ２と、持続期間τ２を有する第二のシーケンスとから成る。
【００４１】
消去のためには、以下が必要となる：
段階Ｃ：アンカリングの破壊
書込みの場合と同様に、スレーブプレートの所のアンカリングを破壊するための電場より大きな電場を供給するパルスを加え、その画素内の分子が立上るするのに十分に長い時間だけ待つ。
【００４２】
段階Ｓ：テクスチャの選択
次に、”ゆるやかな”下降を実現する。資料［１］は、このような”ゆるやかな”下降を実現するための２つのやり方を提唱するが、これらが図３ｂ１及び３ｂ２に簡略的に示されている。消去信号は、振幅Ｐ１と持続期間τ１のパルスと、これに続く、持続期間τ２を有し、このパルスの持続期間より３倍以上大きな下降時間を有するスロープを有するパルスとして（図３ｂ１）か、或いは２つの平坦域（plateaus）を有する信号の形態の階段状の下降（staircase decent）として実現される（３ｂ２）。（後者の信号は、振幅Ｐ１と持続期間τ１の第一のシーケンスと、これに続く、Ｐ２＞ＶｃかつＰ２＜△Ｖ、或いはＰ２＜Ｖｃかつ（Ｐ１−Ｐ２）＜△Ｖなる振幅Ｐ２と持続期間τ２の第二のシーケンスから成る）。２つの段階を有するこの階段状の下降の方がデジタル電子手段を用いて実現するには簡単であり、このため、スロープ波形についてはここでは詳細には説明しない。ただし、２つより多くの平坦域を有する下降を考案することも可能である。
【００４３】
テクスチャを一方から他方にスイッチングすることができるパルスの波形が図３に示されている（資料［１］及び資料［２］参照）。この平坦域の電圧及び持続期間（Ｐ１、τ１）及び（Ｐ２、τ２）は以下の例のようにして実験的に決定される。
【００４４】
ＢｉＮｅｍへのマルチプレキシング原理の適用
考慮下のＢｉＮｅｍも、同様に、ｎ×ｍ画素の形態を有し（図１）、各画素は、上述のように、２つの各基板上に配置された２つの直行する導電ストリップが交差する所に形成される。行Ｎ＋１と列Ｍから形成される画素が影にて示されている。このデバイスの接続及び電子回路は基板或いは補助カード上に配置される。
【００４５】
これら画素に加えられる書込み及び消去信号は、行信号と列信号を組み合わせて形成される。これら信号は、問題のスクリーンの、行毎の、つまり、迅速な、書込み及び消去を可能にする。
【００４６】
これら行及び列に加えられる信号は、結果として、ある画素の端子間に現れる電圧が、図３に示されるようなタイプとなることを要求される。つまり、行書込み時間の際に画素に加えられる電圧は、要求に応じて、一方においては、突然停止し、△Ｖ以上の突然の電圧の降下をもたらし、（通常は光学的に暗い）捩れテクスチャＴを形成し、他方においては、階段状に次第に下降し、（通常は光学的に明るい）ユニホームテクスチャＵを形成するようなパルスであることが要求される。
【００４７】
以下では、マルチプレクシングにより、テクスチャＴからＵ或いはこの逆へのスイッチングできるか否かの可能性について、図４に与えられる電気・光学曲線を用いて解説する。ＢｉＮｅｍの画素は、固定された値Ｐ１と、可変の値Ｐ２とを有する２つの平坦域を有するパルスにてアドレスされる。光の透過は、Ｐ１を１６Ｖに固定したときの、第二の平坦域Ｐ２の値の関数として与えられる。これらパルスの持続期間は、０．８ミリ秒とされる。この例において与えらている偏光子の配向では、最小透過は状態Ｔに対応し、最大透過は状態Ｕに対応する。
【００４８】
ゾーンの書込み
電圧Ｐ２を約１１ボルトより大きな場合は、平坦域２の終端における電圧の降下は、書き込みに対して十分なものとなる。電圧Ｐ２が５ボルトより小さな場合は、時間τ１の終端における電圧の降下により書込みは終了し、この平坦域２の電圧はＶｃより低く、このため、この終端における電圧の降下は、もはやテクスチャのスイッチングを起さない。
【００４９】
書込みのために必要とされる電圧降下の値は、Ｐ１＝１６Ｖ及びＶｃ＝６Ｖとされた場合は、約１０ボルトとなる。
【００５０】
ゾーンの消去
図４の曲線からわかるように、消去は、電圧Ｐ２Ｅが６Ｖから９Ｖの範囲内に入ることで行なわれる。この電圧レンジ内では、時間τ１の終端において、スレーブプレート近傍の分子は、フローの勢いに巻き込まれて書込み方向に向かう。破壊電圧より少し高い平坦域２の際に、これらは、殆ど垂直ではあるが、マスタプレートとの弾性結合のために、少し消去方向に傾いた状態となる。時間τ２の終端における、△Ｖより小さな電圧降下により、第二のフローが起こるが、これは分子を直立させ、その方向に納める、つまり、書込み状態とするには弱過ぎる。”ゆるやかな”降下は、こうして、２つの段階にて実現される。
【００５１】
これらテクスチャの一方或いは他方に対応する第二の平坦域の電圧が図５には示されている。
【００５２】
この例においては、持続期間τ１を有する段階Ｃの際にはアンカリングを破壊するのに適当な電圧Ｐ１が加えられ、持続期間τ２を有する段階Ｓの際には電圧Ｐ２が加えられる。こうして得られるテクスチャはＰ２の値に依存する。
【００５３】
従来の技術によるＢｉＮｅｍｓのマルチプレキシング
Ｆ１とＦ２は、図４の光透過曲線内の湾曲の立上り点或いは立下り点に位置する２つの動作点として定義される。ここでは、一例として、Ｆ２について考える。この動作点Ｆ２に対応する電圧は１１Ｖに等しく、行信号の第二の平坦域Ａ２の電圧に対応させることができる。列電圧Ｃ＝２Ｖの値は、テクスチャＴ（最小透過）或いはテクスチャＵ（最大透過）のいずれかに対応する画素電圧を得るために必要とされる電圧差に対応する。この条件においては、画素に加えられる第二の平坦域の値は、書込み（テクスチャＵ）に対しては、Ｐ２Ｉ＝Ａ２＋Ｃとなり、消去（テクスチャＴ）に対しては、Ｐ２Ｅ＝Ａ２−Ｃとなり；
行信号に対しては、Ａ１＝１６Ｖ、Ａ２＝１０Ｖとなり、
列信号に対しては、Ｃ＝２Ｖとなり、
画素の端子間の信号に対しては、Ｐ１＝１６Ｖ、Ｐ２Ｅ＝８Ｖ、Ｐ２Ｉ＝１２Ｖとなる。
【００５４】
これら値は、液晶並びにアライメント層の特性によって異なり、同一の原理に基づいて他の材料を用いて製造される他のスクリーンに対しても、簡単な調節することができる。資料［６］には１つの例が与えられている。
【００５５】
図６は、上で定義された動作点Ｆ２が選択されたときの書込み及び消去に対する行及び列信号の原理を示す。行信号（図６ａ）は、２つの平坦域を含む。第一の平坦域は、時間期間τ１において電圧Ａ１を提供し、第二の平坦域は時間期間τ２において第二の電圧Ａ２を提供する。振幅Ｃを有する列信号（図６ｂ及び６ｃ）は、時間期間τ２においてのみ加えられ、それが消去のために要求されるか、或いは書込みのために要求されるかによって正或いは負とされる。時間期間τ３はこれら２つのパルスを分離する。図６ｄ及び６ｅは、それぞれ、消去される画素の端子に加えられる信号と、書込まれる画素の端子に加えられる信号を示す。これら信号は非常に単純であり、これら全てのパラメータは、スクリーンの特性に合わせて簡単に調節することができる。
【００５６】
資料［７］に従っての列信号の最適化
フランスにおいて２００２年２月６付けにて出願された特許出願第０２／０１４４８号において、出願人は、ＢｉＮｅｍタイプのディスプレイに対する、列信号を最適化すること目指す様々な改善について開示している。以下では、これら改善について、これらを本出願に組み込むために再確認する。
【００５７】
この資料においては、スクリーンの列電極に加えられる信号のパラメータが、画素妨害パルス（interfering pixel pulses）の実効電圧がフリーデリック（Ｆｒｅｅｄｅｒｉｃｋｓｚ）電圧より低い値に低減されるように適合化され、これによってアドレシングの際の妨害光学効果（interfering optical effects）が低減される。
【００５８】
例１：列パルスの持続期間の低減
この新たな列信号Ｃ’は、時間期間τｃ＜τ２だけ加えられ、振幅Ｃについては、段階Ｃと実質的に同一のオーダに維持される。これは、Ｃ’の増加は、画素に加えられる妨害電圧の実効値の増加をもたらし、逆に、Ｃ’を低減すると、図４の電気光学曲線によって示される制約のために、スイッチングが起こらなくなるためである。この例では、選択段階は、以前よりも、持続期間τｃだけ短縮される。
【００５９】
例１に対応する信号が図７に示されている。
【００６０】
図７において、より具体的には、図７ａは行信号を示し、図７ｂは列消去信号を示し、図７ｃは列書込み信号を示し、図７ｄは画素消去信号を示し、そして、図７ｅは画素書込み信号を示す。
【００６１】
列信号の持続期間を短縮することで、以下の２つの利益が得られる：
１）このバリエーションによると、選択されない行内の画素は、この電圧Ｃ’を、例えば、ほぼτ２／２に等しい時間期間τｃの際にのみ印加されることとなるために、妨害信号を最小限に押されることが可能となる。２）列信号を短縮化する一方で、その下降を行信号のそれとと同期させることで、画素信号の”ゆるやかな”下降を、３つの平坦域を通じて達成することが可能となる。この方法によると、消去の際の、液晶の流体力学的フローは、２つの平坦域を有するパルスにて得られるそれと比較して低減する。同一の行電圧を用いた場合、これら３つの平坦域の各々の間の最大瞬間電圧下降は、例えば、２つの平坦域の間のそれより小さくなる。従って、このやり方の方が、ユニホームテクスチャＵに向かっての傾斜をより促進する。書込みに関しては、最大瞬間電圧下降は同一であるために、流体力学的フローは２つの平坦域を有する場合と比較して変わらない。発明者らによると、この方法によると、制御電極を複雑化させることなく、液晶材の粘度が低温において増加した場合でも、これら２つの状態間のスイッチングを行うことが可能となる。
【００６２】
より詳細には、図７に示される信号は、以下のような特徴を有する：
図７に示される行信号は、持続期間τ１と振幅Ａ１を有する第一のシーケンスと、これに続く、（持続期間τ１より大きな）持続期間τ２と（振幅Ａ１より小さな）振幅Ａ２を有する第二のシーケンスから成る。これら２つのシーケンスの立上りフロントと立下りフロントは実質的に垂直である。
【００６３】
図７ｂに示される列消去信号は、持続期間τｃと図７ａに示される行信号と同一の極性の振幅Ｃ’とを有するパルスから成る。この信号の立上り及び立下りフロントは実質的に垂直である。持続期間持続期間τｃは持続期間τ２より短い。この列消去信号の立下りフロントは、行信号の立下りフロントと同期される。
【００６４】
図７ｃに示される列書込み信号は、図７ｂに示される列消去信号と極性が反転される点で異なる。こうして、図７ｃに示されるパルスは、持続期間τｃと、垂直の立上り及び立下りフロントを有する振幅Ｃ’とを有し、この立下りフロントは、行信号の立下りフロントと同期される。
【００６５】
図７ｄに示されるように、消去の際に画素の端子間に存在する電圧は、垂直の立上り及び立下りフロントを有する一連の３つの平坦域（crenellations）から成る。第一の平坦域は、振幅Ａ１と、持続期間τｃを有し、第二の平坦域は、振幅Ａ２と持続期間τ２−τｃを有し、第三の平坦域は振幅Ａ２−Ｃ’と持続期間τｃを有する。
【００６６】
図７ｅに示されるように、書込みの際に画素の端子間に存在する電圧も、同様に、垂直の立上り及び立下りフロントを有する一連の３つの平坦域から成る。第一の平坦域は振幅Ａ１と、持続期間τｃを有し、第二の平坦域は、振幅Ａ２と持続期間τ２−τｃを有し、第三の平坦域は振幅Ａ２＋Ｃ’と持続期間τｃを有する。
【００６７】
ただし、図７ｅからわかるように、画素を消去する際は、中間の平坦域は、最も高い初期振幅Ａ１と最も低い最終振幅Ａ２−Ｃ’との間の振幅Ａ２を有するのに対して、画素を書込む際には、この中間の振幅Ａ２は、最も高い初期振幅Ａ１及び最終振幅Ａ２＋Ｃ’より低い。
【００６８】
例２：列パルスの波形の修正
列信号の波形は、長方形のパルスから構成される従来の列信号と比較してその実効電圧が低減するように修正される。列信号の持続期間も、バリエーション１の利点が得られるように、従来の持続期間τ２より短縮することもできる。
【００６９】
例示１
第一の例においては、傾斜タイプの列信号が用いられる。この列信号の振幅は、その最大ピーク電圧Ｃ”に達するまでは線形的に増加し、その後、突然に、行パルスの終端と同期して、零に落ちる。
【００７０】
この列信号Ｃ”の最大値は、従来の値Ｃより増加され、これによって２つのテクスチャ間のスイッチングがより容易にされる（図４の電気光学曲線を参照）。
【００７１】
このような信号の一例が図８に示されている。このケースにおいても、図８ａは行信号を示し、図８ｂは列消去信号を示し、図８ｃは列書込み信号を示し、図８ｄは画素消去信号を示し、図８ｅは画素書込み信号を示す。列パルスは、持続期間τｃを有し、この波形は、最大Ｃ”と、傾斜とから成る。
【００７２】
より詳細には、図８に示される信号は、以下のような特徴を有する。
【００７３】
図８ａに示される行信号は、持続期間τ１と振幅Ａ１を有する第一のシーケンスと、これに続く、（τ１よりも大きな）持続期間τ２と（振幅Ａ１より小さな）振幅Ａ２を有する第二のシーケンスとから成る。これら２つのシーケンスの立上り及び立下りフロントは、実質的に垂直である。
【００７４】
図８ｂに示される列消去信号は、持続期間τ２と、振幅Ｃ”に到達するまで線形的に傾斜して上昇する立上りフロントと、これに続く、垂直に下降する立下りフロントを有する、パルスから成る。
【００７５】
図８ｃに示される列書込み信号は、図８ｂに示される列消去信号と極性が反転される点で異なる。こうして、図８ｃに示されるように、このパルスは、持続期間τｃと、最大振幅Ｃ”に到達するまで線形的に上昇する立上りフロントと、これに続く、垂直な立下りフロントを有する。
【００７６】
消去の際に画素の端子間に存在する電圧は、図８ｄに示されるように、３つの一連のシーケンスから成る。第一のシーケンスは、振幅Ａ１と持続期間τ１を有し、第二のシーケンスは、振幅Ａ２と持続期間τ２−τｃを有し、第三のシーケンスの振幅は、初期振幅Ａ２から最終振幅Ａ２−Ｃ”へと、持続期間τｃをかけて、次第に低下する。
【００７７】
このケースにおいても、図８ｄの値Ａ２は、中間値である。
【００７８】
書込みの際に画素の端子間に存在する電圧も、同様に、３つの一連のシーケンスから成る。第一のシーケンスは、振幅Ａ１と持続期間τ１を有し、第二のシーケンスは、振幅Ａ２と持続期間τ２−τｃを有し、第三のシーケンスの振幅は、初期値Ａ２からより高い値Ａ２＋Ｃ”へと、持続期間τｃをかけて、次第に増加する。値Ａ２は、このケースにおいても、図８ｄの場合と同様に、図７ｅと類似の値を有する、中間値となる。
【００７９】
例示２
この第二の例においては、おのおの持続期間τｃ１と、τｃ２を有する２つの平坦域Ｃ１、Ｃ２を掛けて増加する列信号が用いられる。このような信号の一例が図９に示されている。ここでも、図９ａは行信号を示し、図９ｂは列消去信号を示し、図９ｃは列書込み信号を示し、図９ｄは画素消去信号を示し、図９ｅは画素書込み信号を示す。列パルスは、τｃ＝τｃ１＋τｃ２なる持続期間を有し、この波形は２つの平坦域を有する。
【００８０】
マルチプレクシングのバリエーション：零なる平均値を得るやり方
ある液晶材は、直流電圧に曝されると、電気分解による劣化を受けるという問題に対処するために、しばしば、１つの有効なやり方として、画素には平均値零の信号が加えられる。図１０、１１、及び１２は、図６の理論上の信号を、平均値零を有する対称信号に変換するための方法を示す。
【００８１】
図１０には、”行対称化”と呼ばれる方式が示される。この方式においては、互いに反対の極性を有する同一の信号を交互に送ることで、行選択信号が形成される。ここで、図１０ａは行信号を示し、図１０ｂは列消去信号を示し、図１０ｃは、列書込み信号を示し、図１０ｄはある画素の端子間の消去信号を示し、１０ｅはある画素の端子間の書込み信号を示す。行の対称化は、全体的なものとすること、つまり、図１０に示されるように、行信号と列信号の両方に適用することも、或いは部分的なものとすること、つまり、行信号のみに適用し、列信号には適用しないようにすることもできる。後者の場合は、テクスチャを選択するための列信号は、そのままとされる。
【００８２】
図１１には、”フレーム対称化”と呼ばれるもう一つの対称化技術が示される。これら信号は、画像が変わる毎にこれらの符号（極性）が反転される点を除いて図６のそれと同一である。この場合も、対称化は、全体的に施すことも、或いは部分的に施すこともできる。
【００８３】
上の状況では、対称化のために、行駆動信号は、±Ａ１なる電圧、つまり、全体で２×Ａ１なる工程（excursion）を供給することを要求される。これらドライバは、この最大工程（excursion maximum）を２×Ａ１より低い値に低減することで、かなり簡素化することが可能となる。これを達成するためには、第二の極性の際に、行信号と、これに対応する列信号の動作中点ＶＭを、同期的に変えることのみが要求される。これは、図１０に示される状況から開始した場合、対称化段階において、行信号と列信号の全てに共通の電圧ＶＭを加えることから成る。図１２に示される例においては、第一の極性の際には、信号ＶＭは零とされ、第二の極性の際には、ＶＭは非零とされる。この原理から逸脱することなく、第一の極性の際には、ＶＭは非零とし、これに続く第二の極性の際にも、ＶＭは非零とすることもできる。重要な点は、画素の端子間の電圧が、図１０に示されるように、変化しないようにすることである。ここでも、図１２ａは行信号を表し、図１２ｂは列消去信号を表し、図１２ｃは列書込み信号を表し、図１２ｄはある画素の端子間の消去信号を表し、図１２ｅはある画素の端子間の書込み信号を表す。
【００８４】
これら対称化手段の全ては、上述の列信号にも適用できる。
【００８５】
従来のＢｉＮｅｍマルチプレキシング方法の速度の観点からの制約
上述の方法の一つを用いて一度に一つの行にアドレシングする場合、２つの行にアドレシングする間の最小時間間隔（minimum time interval）は、τ１＋τ２となり、また、ある与えられた行へのアドレシングの際に極性が反転される場合（図１０参照）は、２（τ１＋τ２）となる。例えば、一例として、τ１＝１ｍｓ、τ２＝１ｍｓ、τｃ＝２００μｓなる値を用いた場合、フレーム毎に極性の反転を行った場合（ケース１）は、最小行アドレシング時間は２μｓとなり、また、行にアドレシングする際にのみ極性の反転を行った場合（ケース２）は、４ｍｓとなる。
【００８６】
不幸なことに、ある画素の状態（書込み或いは消去）を決定する期間は、上述の持続期間より短かく、τｃに等しく、上に説明の例では、２００μｓに等しい。
【００８７】
こうして、１６０行を有する画像にアドレシングするための時間は少なくとも３２０ｍｓとなり、これら画素の全ての状態を決定するための時間は、２００μｓ×１６０＝３２ｍｓとなる。
資料[１]  フランス特許第96/04447号明細書
資料[２]  P. M. Alt, P. Pleshko, 1974, IEEE Trans Electron Devices ED-21: 146-55
資料[３]  米国特許第5 420 604号明細書
資料[４]  国際公開第 00/74030号パンフレット
資料[５]  ”表面制御双安定ネマティック画素の書込み及び消去メカニズム（Write and erase mechanism of surface controlled bistable nematic pixel）”、M.Giocondo, I. Lelidis, I. Dozov, G. Durand, Eur. Phys. J.  AP.  5,  227-230 (1999)
資料[６]   ”アンカリングを破壊することでスイッチされる双安定ネマティックディスプレイの最近の進歩（Recent improvements of bistable nematic displays switched by anchoring breaking ）”、Proceedings of SAID 2001, 224-227
資料[７]  フランス特許第02/01448号明細書
【発明の開示】
【００８８】
上述のように、本発明は、とりわけ、資料［１］において開示されているようないわゆるＢｉＮｅｍデバイスに係る。このＢｉＮｅｍデバイスは２つのテクスチャを用いる。一方は、ユニホーム或いは少し捩れたテクスチャでＵと呼ばれ、この状態においては分子は互いに少なくとも実質的に平行となる。もう一方は、捩れたテクスチャでＴと呼ばれ、この状態は、第一の状態と、±１８０°のオーダだけ捩れされている点で異なる。
【００８９】
発明者らは、複数の行に行パルス間に時間的なオーバラップを導入して同時にアドレシングすることで、画像をより迅速に表示することを可能にする、マルチプレクスＢｉＮｅｍスクリーンにアドレシングするための新規の方法を提唱する。
【００９０】
これを達成するために、発明者らは、双安定ネマティック液晶のマトリックススクリーンにアンカリングを破壊することで電気的にアドレシングするための方法を提供する。この方法は、制御された電気信号を、それぞれ、このスクリーンの行電極と列電極に加えるステップを含む。本発明によると、この方法は、更に、複数の行に、列電圧が加えられる期間と等しいかこれより大きな持続期間だけ時間的にオフセットされた類似する行信号を用いて同時にアドレシングするステップを含む。この行アドレシング信号は、第一の期間においては、その行内の画素の全てのアンカリングを破壊することができ、これに続く第二の期間においては、これらアドレスされた行を構成する画素の最終状態を決定することができる、少なくとも一つの電圧値を有し、この最終状態は対応する列に加えられる電気信号の各々の値の関数として決まる。
【００９１】
本発明は、更に、マトリックススクリーンにアドレスシングするためのデバイスも提供する。
【発明を実施するための最良の形態】
【００９２】
ＢｉＮｅｍスクリーンはスイッチングの行われ方に特徴的な性質を有するという事実や、このスクリーンは画素の端子に印加された信号の終端においてのみ知覚されるという事実から、複数の行に同時にアドレシングする際に要求される実現上の制約も、ＡｌｔとＰｌｅｓｋｏらの基準（Alt and Plesko criterion）に支配される従来のＬＣＤスクリーンに対するそれとは非常に異なる。従来のＡｌｔとＰｌｅｓｋｏらの基準に支配されるＬＣＤスクリーンにおいては、各瞬間において加えられる電圧は、画素に加えられる平均実効電圧に影響を及ぼすという点において、その画素の所に得られる光学状態に寄与する。これとは対照的に、ＢｉＮｅｍタイプのＬＣＤの場合は、２つのテクスチャ間のスイッチングに影響を及ぼし、従って、最終的な光学状態に影響を及ぼすのは、画素に加えられたパルスの終端における波形のみである。このために、複数の行間に時間的なオーバラップが存在するアドレシングスキームを提唱することが可能となる。
【００９３】
このやり方では、行間の時間オフセットは、もはや、資料［１］において開示されている持続期間τＬとは異なったものとなり、この値は、以下のように定義されるτＤとなる：
τｃ≦τＤ＜τＬ
ここで、τＬは、少なくとも２つのアドレシング段階（アンカリングを破壊するための段階Ｃとテクスチャを選択するための段階Ｓ）を含む行アドレシング時間を表し、τｃは列信号の持続期間を表す。
【００９４】
本発明は、従来の技術と比較して様々な利点を有する。以下では３つの主な利点について説明する。
【００９５】
本発明の第一の利点：画像へのアドレシングの速度
ここでは、ｘは、同時にアドレスされる行の数を表すものと想定される。
【００９６】
ある与えられたτＬの値に対して、時間を節約できるという利点を維持しながら同時にアドレスすることができる行の最適数は以下の通りとなる：
・対称化は用いないか、或いは”フレーム”対称化を用いる場合：
ｘｏｐｔ＝［τＬ／τＤ］の整数部分となり、
・”行”対称化を用いる場合は、
ｘｏｐｔ＝［２・τＬ／τＤ］の整数部分となる。
【００９７】
１つの実現例として、τＬ＝２ｍｓ、τＤ＝２００μｓとた場合は：
・対称化は用いない、或いは”フレーム”対称化を用いるときは、
ｘｏｐｔ＝１０となり；
・”行”対称化を用いる場合は、部分的対称化であるか、完全対称化であるかに関係なく、
ｘｏｐｔ＝２０となる。
【００９８】
本発明によると、ｘ個の行にアドレシングするために要求される時間は、従来のシーケンシャルアドレシングの場合はｘ・τＬであるのに対して、τＬ＋［τＤ・（ｘ−１）］となる。
【００９９】
ある画像に渡ってのアドレシング時間の節約を計算すると、以下のようになる。
【０１００】
ここで、Ｔ１は、一度に１つの行にアドレスする従来の方法を用いてｎ個の行から成る画像にアドレシングするために要求される時間を表し、Ｔｘは、（一度に、ｘ個の行にアドレシングする）本発明に従ってｎ個の行にアドレシングするために要求される時間を表するものと想定する。結果は、行の数ｎが大きな場合は、
Ｔｘ≒Ｔ１／ｘ
となる。
【０１０１】
対称化は用いないか、或いは”フレーム”対称化を用いる一つの実施例として、
τＬ＝１．２ｍｓ
τｃ＝１００μｓ
τＤ＝２００μｓ
なる値を用いて：
一度に３つの行にアドレシングした場合（ｘ＝３）、従来の方法ではこれら３つの行にアドレシングするために３．６ｍｓを必要とするが、本発明による方法ではこのアドレシングを１．６ｍｓにて遂行することが可能となる。
【０１０２】
１６０行を有する画像の場合は、
Ｔ１＝１６０×１．２＝１９０ｍｓ
Ｔ３＝（１６０／３）×１．６＝８５ｍｓ
となる。
【０１０３】
こうして、画像にアドレシングするために要求される時間は、２倍以上低減される。
【０１０４】
本発明の第二の利点：スイッチングの改善と行電圧の低減
時間がオーバラップされるために、ディスプレイ速度を低減させることなく、段階Ｃの持続期間を増加させることが可能とり、この持続期間の増加のために、破壊電圧を、静的破壊閾値に近い限界値まで下げることが可能となる。この状況においては、良好な動作を保証するために必要とされる行及び列電圧の工程の調節（adjustment excursion）は大幅に低減される。例えば、このスクリーンは、これら電圧の調節を要求されることなく、１０°Ｃより大きな温度レンジに渡って作動する。これは、高速動作では、時間のオーバラップを導入しない方法では不可能である。これら利点を最大限に活用するためには、同時にアドレシングされる行の数を、ｘｏｐｔより大きな値に選択される。この場合は、時間の節約は、ｘｏｐｔを用いた場合と変わらないが、ただし、同一の行により長い期間に渡ってアドレシングすることが可能となる。
【０１０５】
加えて、破壊電圧が低減されるために、より低い電圧にて動作する、従って、より安価なドライバを用いることが可能となる。
【０１０６】
第三の利点：行信号の簡素化
時間のオーバラップを用いるこのアドレシングシステムにおいては、明白なように、複数の行が同時にアドレスされる。これにも関わらず、列選択信号は非常に単純なものにとどまり、ＭＬＡを実現するために要求される信号の場合のように、直交性の条件を満たすことは、概ねでさえも、要求されない。
【０１０７】
更に、本発明では、様々な実現のバリエーションが可能となる。以下では、主な２つのバリエーション、つまり、１）オフセットを用いて、複数の連続する行にアドレシングするやり方と、２）オフセットを用いて、複数の非連続な行にアドレシングするやり方について説明する：
バリエーション１：オフセットを用いて複数の連続する行にアドレシングするやり方
図１３には、ある行から次の行までの間に時間オフセットτＤを導入して、ｘ＝７個の連続する行に同時にアドレシングする場合に対応するタイミング図の例が示されている。各行に対応する列信号はτＤ毎に順番に送られる。
【０１０８】
行信号は総持続期間τＬ＝ｘτＤを有するが、これをケースではτＬ＝７τＤとなる。列信号の持続期間はτｃである。
【０１０９】
図１３においては（図１４乃至図１８と同様に）、影付のブロックは、行及び列がアドレシングされている際の時間に対応し、ここでは、加えられるパルスの波形は指定されていない。この図は、行パルスに対する時間的なオーバラップの一般原理を示すが、この原理は、これら行及び列信号の波形に対応するこれらブロックの内容とは独立したものである。
【０１１０】
図１３からわかるように、（ｉ＋ｘ）番目の行に対する行信号の開始は、ｉ番目の行に対する行信号の終端と同期される。つまり、このケースにおいては、８番目の行に対する行信号の開始は、第一番目の行に対する信号と同期される。
【０１１１】
図１３のダイヤグラムは、行パルスに対する時間的なオーバラップの原理を、対称化は用いない場合について示す図である。
【０１１２】
図１３の（及び図１４から１９の）下側は、第一番目は、τｃ＝τＤとした場合の、列信号の時間位置を示し、第二番目は、τｃ＜τＤとした場合の、列信号の時間位置を示す。両方の状況において、持続期間τｃを有する列信号の終端は、持続期間τＬを有する対応する行信号の終端と同期される。
【０１１３】
図１４のダイヤグラムは、時間的なオーバラップの原理を、フレーム対称化が用いられる場合について示す図である。
【０１１４】
この状況においては、行信号の極性と、列信号の極性は、ある画像ｐとこれに続く画像ｐ＋１との間で反転される。
【０１１５】
各行に対応する列信号は、τＤ毎に順番に送られるが、この値τＤは、同時にアドレシングされる２つの連続する行信号間のオフセット時間に対応する。
【０１１６】
図１５のダイヤグラムは、時間的なオーバラップの原理を、フレーム対称化が用いられ、行パルスの符号が交替される場合について示す図である。
【０１１７】
このケースにおいては、第一に、行信号の極性と、列信号の極性は、ある画像ｐとこれに続く画像ｐ＋１との間で反転される。第二に、２つの連続する行信号の極性と、２つの連続する列信号の極性も反転される。
【０１１８】
図１６のダイヤグラムは、全体的な行対称化の原理を示す図である。
【０１１９】
このケースにおいては、各行信号は、持続期間は等しいが、各々が反対の極性を有する、２つの隣接するシーケンスから成り、列信号は、２つのシーケンスに分割され、これらの終端は、それぞれ、関連する行信号の、第一のシーケンスと、第二のシーケンスの終端とに同期され、これら列信号シーケンスの極性も同様にして反転される。
【０１２０】
図１７のダイヤグラムは、部分的な行対称化の原理を示す図である。
【０１２１】
この状況においては、各行信号は、持続期間は等しいが、各々が反対の極性を有する、２つの隣接するシーケンスから成り、列信号の終端は、第二の関連する行信号シーケンスの終端と同期される。
【０１２２】
一般に、上述の対称化のバリエーションの全ては、それらがフレーム対称化に適用されるか、行対称化に適用されるかに関係なく、行信号及び列信号の対称化、或いは行信号のみの対称化に関する。
【０１２３】
バリエーション１の欠点：同時にアドレスすることが可能な連続する行の数に関する制約
行がアドレスされる場合、そのアドレシング時間の際に、分子のほぼ全ては、ホメオトロピック状態に傾斜し、行の光透過は撹乱される。一度に１行がアドレスされる場合は、行のサイズが目の分解能よりも小さな場合は、観察者は、不都合は感じない。しかしながら、複数の連続する行がアドレスされ、このため撹乱された場合は、より大きなゾーンが光学的に撹乱され、目に付き、観察者にとって目障りとなる。
【０１２４】
バリエーション２：オフセットを用いて複数の非連続な行にアドレシングするやり方
複数の連続する行を同時に撹乱すること（１行の幅よりかなり大きなサイズの走行バー）に起因する目障りさ（visible disturbance）を克服するためには、時間的なオーバラップを用いてアドレシングされる行間に間隔を設けると効果的である。
【０１２５】
図１８のタイミング図は、このモードのアドレシング方法であって、行信号持続期間τＬの３分の１の時間的オフセット、つまり、τＬ＝３τＤを用いる、アドレシングの例を示す。この例では、同時にアドレスできる行の最大数は３となる。
【０１２６】
このモードにおいても、連続する行の場合と同一の対称化オプションを選択することができる。
【０１２７】
より具体的には、一般に、本発明の範囲内では、行信号の持続期間τＬ＝ｊτＤ、同時に加えられる２つの連続する行信号間の時間オフセットτＤ、同時に加えられる行信号の連続するブロック間のオフセットτＬを用いることで、同時にｉモジュロｊ（i modulo j）個の行、つまり、行ｉ、ｉ＋ｊ、ｉ＋２ｊ、等にアドレシングすることが可能となる。
【０１２８】
これらブロックに対応する行信号及び列信号が、図１３乃至図１８において陰影を付けて示されているが、これらは多様なやり方にて実現することができる。
【０１２９】
以下では、これらの幾つかについて単に例示として説明する。
【０１３０】
これら行及び列パルスは、より具体的には、以下に説明するような波形に従う。
【０１３１】
アンカリング破壊段階Ｃの際には、電圧は行信号（電極）のみに加えられる。
【０１３２】
選択段階Ｓの持続期間は列パルスの持続期間と等しくされる。
【０１３３】
列パルス
これら列パルスの波形は、従来の技術の所で説明された幾つかの例の各々、或いはこれら例の組み合わせとされる。つまり：
・列信号の持続期間は、行信号の最後の平坦域の持続期間と等しいか、或いはこれより小さくされる。
・列信号は波形は、任意の波形、例えば、方形、傾斜、階段状等とされる。
・列信号の持続期間τｃは、τＤと等しくされる。
・列信号の持続期間τｃは、τＤより小さくされる。
【０１３４】
行パルス
・２つの平坦域を有する行信号を用いるやり方
図１９には、ＢｉＮｅｍスクリーンをアドレシングするための方法であって、行アドレシングパルスの時間的なオーバラップとしては、バリエーション１（連続する行に適用）が用いられ、行パルスとしては、２つの平坦域を有する行信号が用いられ、列パルスは、波形は方形波とされ、持続期間は、行信号の第二の平坦域より短くされる、一例が示される。
【０１３５】
・段階Ｃの際に、少なくとも１つの電圧（従来の技術においてＡ１として定義される電圧）はアンカリングを破壊するのに十分な値を有する、複数の平坦域を有する行信号を用いるやり方。
【０１３６】
段階Ｃの電圧レベルは、従来の技術において定義されるＡ２と等しくされる。
【０１３７】
図２０には、３つの平坦域を有する例が示され、図２１には、５つの平坦域を有する例が示される。
【０１３８】
これら２つの例において、行ドライバは、２つの電圧レベル、つまり、非選択レベルと、Ａ１とＡ２との間で交互に変調される選択レベルのみを生成することで済む。これは、行ドライバに対する可能な最も単純な構造に対応する。勿論、より多くの電圧レベルを生成する能力を有する行ドライバを用いることもできる。この場合は、行信号は、より複雑な波形を有するものとなることが考えられるが、ただし、いずれにしても、アンカリングを破壊するための制約（段階Ｃ）と、テクスチャを選択するための制約（段階Ｓ）と、を満たすことは要求される。
【０１３９】
・段階Ｓの際に、テクスチャの選択を可能にするために少なくとも一つが終端において下降する複数の平坦域を有する行信号を用いるやり方。
【０１４０】
勿論、本発明は、上述の特定な実施例に制限されるものではなく、発明の精神から逸脱することなく、様々なバリエーションが可能である。
【図面の簡単な説明】
【０１４１】
【図１】従来のマルチプレックスマトリックススクリーンの原理を示す図である。ある一つの画素の能動ゾーンは、行電極と列電極とが交差する所に位置する。任意的に、行電極は上側基板或いはプレート上に位置し、列電極は下側基板或いはプレート上に位置するものとして示されている。行Ｎがアドレスされると、列信号が全ての列に同時に加えられ、その後、アドレシング動作は次の行へと移動する。
【図２】資料［１］に対応する従来の技術を示す図である。より詳細には、液晶セルの１つの画素が示される。この画素内において、これら２つのテクスチャは、これらの分子に電場が加えられてない限り安定である。一方はユニホームなテクスチャＵと呼ばれ、他方は、捩れたテクスチャＴと呼ばれる。この図の中央部分は、これら２つの基板に設けられた電極間に電場が印加されたときの分子のテクスチャを示す。矢印は、電場が消失する際の分子の回転を示す。
【図３】これら２つのテクスチャ間のスイッチングを可能にする従来の画素信号を示す。書込み信号の下降時間は、数マイクロ秒から数十マイクロ秒の範囲内である。２つの消去信号が提唱されている。一方は、パルスと、これに続く、傾斜（ランプ）から成り、この下降時間は、パルスの持続時間よりも３倍以上長い。他方は、下向の階段状の信号から成り、この信号は２つの平坦域を有する。
【図４】図２に示される従来の原理を用いて動作する液晶画素の電気光学曲線の一例を示す図である。加えられる電圧の第一の平坦域は１６Ｖとされ、光の透過度は、第二の平坦域の値の関数として決まる。マルチプレックスアドレシングに利用可能な２つの動作ポイントが示されている。
【図５】従来のデバイスによる、第二の平坦域の値と、得られるテクスチャとの間の対応を示す図である。図４の例では、ユニホームテクスチャＵは、第二の平坦域の値が５Ｖから９Ｖのレンジ内にあるとき得られ；捩れテクスチャＴは、第二の平坦域の値が０から５Ｖのレンジ或いは９Ｖから１６Ｖのレンジ内にあるとき得られる。
【図６】従来のマルチプレックスアドレシングに対する行信号及び列信号を示す図である。列信号の符号の関数としてこれら２つのテクスチャの一方或いは他方が得られる。
【図７】資料［７］において提唱される新規の信号波形のバリエーションを示す図である。この列パルスは、行パルスの第二の平坦域の持続期間より短い時間だけ続き、ぎざぎざの波形を有し、この下降は行信号の第二の平坦域の下降と同期される。
【図８】資料［７］において提唱される新規の信号波形のもう一つのバリエーションを示す図である。この列パルスは、行パルスの第二の平坦域の持続期間より短な時間長だけ続き、傾斜波形を有し、この下降は行信号の第二の平坦域の下降と同期される。
【図９】資料［７］において提唱される新規の信号波形のさらにもう一つのバリエーションを示す図である。この列パルスは、行パルスの第二の平坦域の持続期間より短な時間長だけ続き、これは、２つの平坦域から成る波形を有し、この下降は行信号の第二の平坦域の下降と同期される。
【図１０】液晶セルが分極されるのを回避するために提唱された従来の改善方法を示す図である。これは、電気分解によって液晶材がゆるやかに劣化する恐れがあるためである。これら行及び列信号はこれらの平均値が零となるように対称化される。
【図１１】従来の技術のもう一つのバージョンを示す図である。このバージョンにおいては、ある画像と次の画像との間で極性を反転することで対称化が達成される。
【図１２】画素に対称信号を加えることができ、他方において制御回路によって要求される電圧の工程（voltage excursion）は最小限に押さえられる信号を示す図である。このやり方においては、選択されない行は、上述のケースにおいては信号は印加されないが、列信号の平均に等しい行信号を印加される。
【図１３】ＢｉＮｅｍスクリーンにアドレシングする原理であって、連続する行（この図においては７個の連続する行）に対するアドレシングパルス間に時間的なオーバラップは導導されるが、対称化は施されない、バージョンを示す図である。
【図１４】ＢｉＮｅｍスクリーンにアドレシングする原理であって、連続する行（この図においては３個の連続する行）に対するアドレシングパルス間に時間的なオーバラップを導入するとともに、フレーム対称化が施される、バージョンを示す図である。
【図１５】ＢｉＮｅｍスクリーンにアドレシングする原理であって、連続する行（この図においては３個の連続する行）に対するアドレシングパルス間に時間的なオーバラップを導入するとともに、行及びフレーム対称化の両方が施される、バージョンを示す図である。
【図１６】ＢｉＮｅｍスクリーンにアドレシングする原理であって、連続する行（この図においては３個の連続する行）に対するアドレシングパルス間に時間的なオーバラップを導入するとともに、行の全体的な対称化が施される、バージョンを示す図である。
【図１７】ＢｉＮｅｍスクリーンにアドレシングする原理であって、連続する行（この図においては３個の連続する行）対するアドレシングパルス間に時間的なオーバラップを導入するとともに、行の部分的な対称化が施される、バージョンを示す図である。
【図１８】ＢｉＮｅｍスクリーンにアドレシングする原理であって、非連続な行に対するアドレシングパルス間に時間的なオーバラップが導入される、バージョンを示す図である。
【図１９】ＢｉＮｅｍスクリーンに連続する行に対するアドレシングパルス間に時間的なオーバラップを導入してアドレシングする原理であて、行信号には、２つの平坦域を有する信号が用いられ、列信号には、方形波が用いられる、バージョンを示す図である。
【図２０】ＢｉＮｅｍスクリーンに行に対するアドレシングパルスに間に時間的なオーバラップを導入してアドレシングするための行パルスの波形であって、アンカリングを破壊するために、段階Ｃの際に、３つの平坦域を有する行信号が用いられる、例を示す図である。
【図２１】ＢｉＮｅｍスクリーンに行に対するアドレシングパルス間に時間的なオーバラップを導入してアドレシングするための行パルスの波形であって、アンカリングを破壊するために、段階Ｃの際に、５つの平坦域を有する行信号が用いられる、例を示す図である。
【図１】
2005523477.tif 000004
【図２】
2005523477.tif 000005
【図３】
2005523477.tif 000006
【図４】
2005523477.tif 000007
【図５】
2005523477.tif 000008
【図６】
2005523477.tif 000009
【図７】
2005523477.tif 000010
【図８】
2005523477.tif 000011
【図９】
2005523477.tif 000012
【図１０】
2005523477.tif 000013
【図１１】
2005523477.tif 000014
【図１２】
2005523477.tif 000015
【図１３】
2005523477.tif 000016
【図１４】
2005523477.tif 000017
【図１５】
2005523477.tif 000018
【図１６】
2005523477.tif 000019
【図１７】
2005523477.tif 000020
【図１８】
2005523477.tif 000021
【図１９】
2005523477.tif 000022
【図２０】
2005523477.tif 000023
【図２１】
2005523477.tif 000024
【国際調査報告】
2005523477.tif 000025
2005523477.tif 000026
2005523477.tif 000027
2005523477.tif 000028
2005523477.tif 000029
2005523477.tif 000030